(57)【要約】【課題】泥水や汚水等が溜まった場所から、効率よく排水することのできる排水機能付スコップを提供する。【解決手段】スコップ本体と、該掬い部に一端が取り付けられた柄部と、該柄部の他端に取り付けられた把持部からなるスコップにおいて、スコップ本体は、底面部前端に浅い掬い部を備え、底面部後端に上面が開口した容器体である溜り部を備えているとともに、溜り部の上方には排水用の注ぎ口を備えていて、泥水や汚水等を溜り部に溜めたまま掬い上げるとともに、注ぎ口を通して溜めた泥水等を排水する。【選択図】図１
2020204190.tif 000002
【特許請求の範囲】
【請求項１】
スコップ本体と、該掬い部に一端が取り付けられた柄部と、該柄部の他端に取り付けられた把持部からなるスコップあって、前記スコップ本体は、底面部前端に掬い部を備え、底面部後端に上面が開口した容器体である溜り部を備えていることを特徴とする排水機能付きスコップ。
【請求項２】
前記スコップ本体は、左右側壁面の上端に排水用の注ぎ口を有していることを特徴とする請求項１に記載の排水機能付きスコップ。
【発明の詳細な説明】
【技術分野】
【０００１】
本発明は、汚泥や泥水などの流体物を掬い上げる機能を有する排水機能付スコップに関するものである。
【背景技術】
【０００２】
従来、水が溜まった場所においてポンプを使用して排水などの作業を行う場合は、ポンプの構造上、一定の深さまでしか排水することができなかった。また、落葉や小石など少量の堆積物あるため、これを吸い込んでポンプが破損することも多かった。そして、ポンプを使用するには、必ず電力やエンジンなどが必要となるため、使用場所にも制限があった。
【０００３】
そこで、スコップを用いて排水などの作業を行う場合があるが、この場合、従来のスコップで掬い上げることのできる水の量は非常に少なく、作業範囲が広範であればスコップに水を入れたまま移動しなければならないため取りこぼす量が多くなり、また、作業回数も多くなって、非効率であるという問題があった。
【０００４】
さらに、浸水災害が発生した際に屋内に浸水した泥水等を排除しようとする場合、ポンプによる排水では、家屋の構造上、困難な場合が多々ある。そして、スコップによる排水作業では効率が非常に悪い。また、塵取りや小型のバケツなどを使用して排水作業をする場合もあるが、不衛生で、かつ危険な場合もある。
【０００５】
特開２０１３−１９４４１７号公報によれば、バケット部と該バケット部に連結された一対のハンドル部からなる、バケツ機能付きスコップが提案されているが、バケット部の上部にハンドル部が接合されているため、これを排水作業に使用した場合は、作業者が汚水等の溜まった箇所に入っていかなければならず、不衛生であり、かつ危険性も高まってしまう。
【先行技術文献】
【特許文献】
【０００６】
【特許文献１】特開２０１３−１９４４１７号公報
【発明の概要】
【発明が解決しようとする課題】
【０００７】
そこで、本発明は、上記課題を解決するため、汚水や泥水などの排水作業に適した排水機能付スコップを提供することを目的とする。
【課題を解決するための手段】
【０００８】
上記課題を解決する為、請求項１記載の発明は、掬い部と、該掬い部に一端が取り付けられた柄部と、該柄部の他端に取り付けられた把持部からなるスコップあって、前記掬い部は、底面部前端に掬い部が、底面部後端に上面が開口した容器体である溜り部を備えていることを特徴とする。
【０００９】
また、請求項２記載の発明は、前記掬い部は、左右側壁面の上端に排水用の注ぎ口を有していることを特徴とする。
【発明の効果】
【００１０】
本発明の排水機能付スコップによれば、屋内外において、局所的に溜まった汚水や汚泥などの流体物を、排出箇所まで押し出さなくても、局所的に掬い上げることができるので、効率的に排水を行うことが可能となる。
【００１１】
また、本発明の排水機能付スコップによれば、従来のスコップに比べて掬い上げることのできる量が多いため、作業性や作業速度が向上し、効率のよい作業が可能となる。
【００１２】
また、本発明の排水機能付スコップは、一定の長さを有する柄部を備えていることから、汚水や汚泥に限らず、畜舎などの糞尿なども衛生的に処理することが可能となる。
【００１３】
さらに、本発明の排水機能付スコップは、電力や動力を用いる必要がないため、緊急時や災害時などにおいても即時に作業することが可能であり、かつ、需要者に安価で提供できることから、一般家庭でも常備し易いという利点がある。
【図面の簡単な説明】
【００１４】
【図１】本発明の実施形態に係る排出機能付スコップの全体を示す斜視図である。
【図２】本発明の実施形態に係る排出機能付スコップを示す一部側面図である。
【図３】本発明の実施形態に係る排出機能付スコップの掬い部を示す斜視図である。
【発明を実施するための形態】
【００１５】
以下、本発明の実施形態について、図面を参照しながら説明する。図１〜３は、本発明に係る排水機能付スコップの一実施形態を示す全体斜視図、一部側面図、掬い部の斜視図である。
【００１６】
本発明に係る排水機能付スコップ1は、棒状の柄部３の一端にスコップ本体２が接合され、該柄部３の他端に把持部４が接合されて構成される。
【００１７】
スコップ本体２は、前端の掬い部５と後端の溜り部６により構成される。
【００１８】
掬い部５は、底面部１７と、その先端部に設けられる刃先部１３と、底面部17の左右両端に立設される前端側壁部１４ａ、１４ｂとから構成される。
【００１９】
溜り部６は、スコップ本体２の後端に設けられる上面が開口した一定の深さを有する容器体であって、折曲された底面部１７と、該底面部１７の左右両端に立設される後端側壁部１５ａ、１５ｂと、底面部１７の後端に立設される背壁部１６とから構成される。
【００２０】
上記構成により、スコップ１を前方に押し出すだけで、刃先部１３及び掬い部５から流入した泥水や汚水等を、溜り部６内に溜めておくことが可能となる。
【００２１】
また、溜り部６は、後端側壁部１５ａ、１５ｂの上方の位置に、略半円形状の排水用注ぎ口１１、１２をそれぞれ備えている
【００２２】
前記注ぎ口１１、１２により、スコップ本体２を左右に傾けるだけで溜り部６に溜まった泥水等の流体物を容易に排出することが可能となる。
【００２３】
なお、後端側壁部１５ａ、１５ｂは、各側壁部の外側に一定角度傾斜した面を有しており、排水部１１、１２から貯留した泥水等を排水し易くしている。
【００２４】
本実施形態においては、底面部１７を一枚の板体を折曲加工して掬い部５と溜り部６の底面とし、また、前端側壁部と後端側壁部もそれぞれ一枚の板体から構成されているが、このような構成に限らず、別々に製作された掬い部と溜り部とを接合して一体化した構成としてもよい。
【００２５】
柄部３は、一定の長さを有していることが必要ではあるが、その長さについては特に限定されるものではなく、使用場所に応じて変更可能である。
【００２６】
把持部４は、本実施形態においては三角形状をしているが、これに限定されず、棒状であってもよい。
【００２７】
本発明の排水機能付スコップについては、本実施形態に限定されるものではなく、柄の長さや、掬い部と溜り部のサイズを様々な大きさに変更することができ、そのため、各種用途に応じたものを提供することできる。
【００２８】
また、溜り部６の底面や側壁部に複数の孔を設けることで、石や砂などの堆積物と水分を分別して掬い上げることが可能となり、側溝の掃除などで使用することができる。
【符号の説明】
【００２９】
１    スコップ
２    スコップ本体
３    柄部
４    把持部
５    掬い部
６    溜り部
１１、１２    注ぎ口
【図１】
2020204190.tif 000003
【図２】
2020204190.tif 000004
【図３】
2020204190.tif 000005
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
スコップ本体と、該スコップ本体に一端が取り付けられた柄部と、該柄部の他端に取り付けられた把持部からなるスコップであって、前記スコップ本体は、底面部前端に掬い部を備え、底面部後端に上面が開口した容器体であって前記掬い部よりも深さのある溜り部を備えているとともに、該溜り部は左右側壁面の上端に排水用の注ぎ口を有しており、各側壁面とこれに対応する注ぎ口は、一定角度の傾斜面を介して連設されていることを特徴とするスコップ。